(57)【要約】【課題】ユーザが携帯電話機を機種変更前に使用可能であった電話帳データを機種変更後でも継続して使用可能とする。【解決手段】車載ハンズフリー装置２は、電話番号と電話帳データとを対応付けて記憶部７の電話帳データ記憶領域にて管理し、ユーザが機種変更したことで機種変更後の携帯電話機３が新たに登録される際に、新たに登録される携帯電話機の電話番号、即ち機種変更する前から使用している電話番号に対応する電話帳データが記憶されており、ユーザが既存の電話帳データを利用する旨を選択した場合には、それら電話番号と電話帳データとの対応を変更することなく維持する。【選択図】図１
2010263556.tif 000002
【特許請求の範囲】
【請求項１】
電話帳データを記憶可能な携帯電話機との間で近距離無線通信回線を接続可能な通信回線接続手段と、
携帯電話機から近距離無線通信回線を通じて転送された電話帳データを記憶可能な電話帳データ記憶手段と、
前記電話帳データ記憶手段における電話帳データの記憶状態を管理する制御手段と、
前記通信回線接続手段との間で近距離無線通信回線を接続可能な接続相手先として携帯電話機が新たに登録されるときに当該携帯電話機の電話番号を取得する電話番号取得手段とを備え、
前記電話帳データ記憶手段は、携帯電話機の電話番号と電話帳データとを対応付けて記憶可能であり、
前記制御手段は、前記電話番号取得手段により取得された電話番号に対応する電話帳データが前記電話帳データ記憶手段に記憶されている場合に、第１の所定条件が成立したことを条件として当該電話番号と電話帳データとの対応を変更することなく維持することを特徴とする近距離無線通信機能付き電話帳データ記憶装置。
【請求項２】
請求項１に記載した近距離無線通信機能付き電話帳データ記憶装置において、
ユーザによる第１の所定操作を受付可能な第１の操作受付手段を備え、
前記制御手段は、ユーザによる第１の所定操作を前記第１の操作受付手段が受付けたことを前記第１の所定条件とすることを特徴とする近距離無線通信機能付き電話帳データ記憶装置。
【請求項３】
請求項１又は２に記載した近距離無線通信機能付き電話帳データ記憶装置において、
前記制御手段は、前記電話番号取得手段により取得された電話番号に対応する電話帳データが前記電話帳データ記憶手段に記憶されている場合に、第２の所定条件が成立したことを条件として当該電話帳データを削除することを特徴とする近距離無線通信機能付き電話帳データ記憶装置。
【請求項４】
請求項３に記載した近距離無線通信機能付き電話帳データ記憶装置において、
ユーザによる第２の所定操作を受付可能な第２の操作受付手段を備え、
前記制御手段は、ユーザによる第２の所定操作を前記第２の操作受付手段が受付けたことを前記第２の所定条件とすることを特徴とする近距離無線通信機能付き電話帳データ記憶装置。
【請求項５】
請求項１乃至４の何れかに記載した近距離無線通信機能付き電話帳データ記憶装置において、
前記通信回線接続手段との間で近距離無線通信回線を接続可能な接続相手先として新たに登録される携帯電話機から当該携帯電話機に記憶されている電話帳データを取得する電話帳データ取得手段を備え、
前記制御手段は、前記電話番号取得手段により取得された電話番号に対応する電話帳データが前記電話帳データ記憶手段に記憶されている場合に、第３の所定条件が成立したことを条件として当該電話帳データを前記電話帳データ取得手段により取得された電話帳データで更新することを特徴とする近距離無線通信機能付き電話帳データ記憶装置。
【請求項６】
請求項５に記載した近距離無線通信機能付き電話帳データ記憶装置において、
ユーザによる第３の所定操作を受付可能な第３の操作受付手段を備え、
前記制御手段は、ユーザによる第３の所定操作を前記第３の操作受付手段が受付けたことを前記第３の所定条件とすることを特徴とする近距離無線通信機能付き電話帳データ記憶装置。
【発明の詳細な説明】
【技術分野】
【０００１】
本発明は、電話帳データを記憶可能な携帯電話機との間で近距離無線通信回線を接続可能であり、携帯電話機から近距離無線通信回線を通じて転送された電話帳データを記憶可能に構成されてなる近距離無線通信機能付き電話帳データ記憶装置に関する。
【背景技術】
【０００２】
携帯電話機に記憶されている電話帳データが携帯電話機から車載装置に転送されることで、携帯電話機から車載装置に転送された電話帳データが車載装置に記憶される構成がある（例えば特許文献１参照）。
【先行技術文献】
【特許文献】
【０００３】
【特許文献１】特開２００３−１９８７１３号公報
【発明の概要】
【発明が解決しようとする課題】
【０００４】
車載装置と携帯電話機とが両者の間でＢｌｕｅｔｏｏｔｈ（登録商標）（以下、ＢＴと称する）通信回線を接続する場合であれば、車載装置ではセキュリティ上の点からＢＴデバイスアドレスと電話帳データとを対応付けて管理していた。
【０００５】
ところで、ユーザにおいては、車載装置と携帯電話機との間でＢＴ通信回線を接続させるには携帯電話機を接続相手先として車載装置に予め登録しておく必要があり、携帯電話機を機種変更（現在の回線契約と電話番号とを他の機器にそのまま引き継いで移し変える手続き）した場合には、機種変更前の携帯電話機を接続相手先として車載装置に予め登録しておいたとしても、機種変更後の携帯電話機を接続相手先として新たに登録する必要がある。このような事情から、上記したようなＢＴデバイスアドレスと電話帳データとを対応付けて管理する構成では次に示すような問題がある。
【０００６】
即ち、ユーザがＢＴ対応の携帯電話機を機種変更したことで機種変更後の携帯電話機を車載装置の接続相手先として新たに登録すると、機種変更前の携帯電話機のＢＴデバイスアドレスと機種変更後の携帯電話機のＢＴデバイスアドレスとが異なる可能性がある。そして、それら両者のＢＴデバイスアドレスが異なると、ＢＴデバイスアドレスと電話帳データとの対応が機種変更前後で崩れることになり、機種変更前に使用可能であった電話帳データが機種変更後では使用不可能になるという問題がある。
【０００７】
本発明は、上記した事情に鑑みてなされたものであり、その目的は、ユーザが携帯電話機を機種変更した場合であっても、機種変更前に使用可能であった電話帳データを機種変更後でも継続して使用可能とすることができる近距離無線通信機能付き電話帳データ記憶装置を提供することにある。
【課題を解決するための手段】
【０００８】
請求項１に記載した発明によれば、電話番号取得手段は、通信回線接続手段との間で近距離無線通信回線を接続可能な接続相手先として携帯電話機が新たに登録されるときに当該携帯電話機の電話番号を取得し、制御手段は、電話番号取得手段により取得された電話番号に対応する電話帳データが電話帳データ記憶手段に記憶されていれば、第１の所定条件が成立したことを条件として当該電話番号と電話帳データとの対応を変更することなく維持する。
【０００９】
これにより、ＢＴデバイスアドレスと電話帳データとを対応付けて管理していた従来構成とは異なり、電話番号と電話帳データとを対応付けて管理し、ユーザが機種変更したことで新たに登録される携帯電話機の電話番号、即ち機種変更する前から使用している電話番号に対応する電話帳データが電話帳データ記憶手段に記憶されていれば、第１の所定条件が成立したことを条件として当該電話番号と電話帳データとの対応を変更することなく維持するので、ユーザが携帯電話機を機種変更する場合であっても、機種変更前に使用可能であった電話帳データを機種変更後でも継続して使用可能とすることができる。
【００１０】
請求項２に記載した発明によれば、制御手段は、ユーザによる第１の所定操作を第１の操作受付手段が受付けたことを第１の所定条件とする。これにより、機種変更前に使用可能であった電話帳データを機種変更後でも継続して使用可能とするか否かをユーザが第１の所定操作を行うか否かにより選択することができ、ユーザが第１の所定操作を行うことにより、機種変更前に使用可能であった電話帳データを機種変更後でも継続して使用可能とすることができる。
【００１１】
請求項３に記載した発明によれば、制御手段は、電話番号取得手段により取得された電話番号に対応する電話帳データが電話帳データ記憶手段に記憶されていれば、第２の所定条件が成立したことを条件として当該電話帳データを削除する。
【００１２】
これにより、ユーザが機種変更したことで新たに登録される携帯電話機の電話番号、即ち機種変更する前から使用している電話番号に対応する電話帳データが電話帳データ記憶手段に記憶されていれば、第２の所定条件が成立したことを条件として当該電話帳データを削除するので、ユーザが携帯電話機を機種変更する場合に、機種変更する前から使用していた電話帳データを削除することができる。
【００１３】
請求項４に記載した発明によれば、制御手段は、ユーザによる第２の所定操作を第２の操作受付手段が受付けたことを第２の所定条件とする。これにより、機種変更する前から使用していた電話帳データを削除するか否かをユーザが第２の所定操作を行うか否かにより選択することができ、ユーザが第２の所定操作を行うことで機種変更する前から使用していた電話帳データを削除することができる。
【００１４】
請求項５に記載した発明によれば、電話帳データ取得手段は、通信回線接続手段との間で近距離無線通信回線を接続可能な接続相手先として新たに登録される携帯電話機から当該携帯電話機に記憶されている電話帳データを取得し、制御手段は、電話番号取得手段により取得された電話番号に対応する電話帳データが電話帳データ記憶手段に記憶されていれば、第３の所定条件が成立したことを条件として当該電話帳データを電話帳データ取得手段により取得された電話帳データで更新する。
【００１５】
これにより、ユーザが機種変更したことで新たに登録される携帯電話機の電話番号、即ち機種変更する前から使用している電話番号に対応する電話帳データが電話帳データ記憶手段に記憶されていれば、第３の所定条件が成立したことを条件として当該電話帳データを電話帳データ取得手段により取得された電話帳データで更新するので、ユーザが携帯電話機を機種変更する場合に、機種変更する前から使用していた電話帳データを機種変更後の携帯電話機に記憶されている電話帳データで更新することができる。
【００１６】
請求項６に記載した発明によれば、制御手段は、ユーザによる第３の所定操作を第３の操作受付手段が受付けたことを第３の所定条件とする。これにより、機種変更する前から使用していた電話帳データを機種変更後の携帯電話機に記憶されている電話帳データで更新するか否かをユーザが第３の所定操作を行うか否かにより選択することができ、ユーザが第３の所定操作を行うことで機種変更する前から使用していた電話帳データを機種変更後の携帯電話機に記憶されている電話帳データで更新することができる。
【図面の簡単な説明】
【００１７】
【図１】本発明の一実施形態を示す機能ブロック図
【図２】記憶部の電話帳データ記憶領域を示す図
【図３】携帯電話機が車載ハンズフリー装置に登録される手順を示す図
【図４】フローチャート
【図５】携帯電話機が車載ハンズフリー装置に登録される前後の電話帳データの推移を示す図
【図６】図５相当図
【図７】図５相当図
【発明を実施するための形態】
【００１８】
以下、本発明の近距離無線通信機能付き電話帳データ記憶装置をＢｌｕｅｔｏｏｔｈ（登録商標）（以下、ＢＴと称する）通信機能を有するＢＴ対応の車載ハンズフリー装置に適用した一実施形態について、図面を参照して説明する。尚、ここでは、車載ハンズフリー装置が搭載されている車両の車室内に、ＢＴ通信機能を有するＢＴ対応の携帯電話機が持込まれ、車載ハンズフリー装置と携帯電話機とがＢＴ通信可能な状態にある場合を説明する。
【００１９】
車載ハンズフリーシステム１は、車載ハンズフリー装置２と携帯電話機３とから構成されている。車載ハンズフリー装置２は、制御部４（本発明でいう制御手段、電話番号取得手段、電話帳データ取得手段、第１の操作受付手段、第２の操作受付手段、第３の操作受付手段）と、ＢＴインタフェース（ＩＦ）部５（本発明でいう通信回線接続手段）と、通話音声処理部６と、記憶部７（本発明でいう電話帳データ記憶手段）と、表示制御部８と、タッチ操作入力部９と、信号入力部１０とを備えて構成されている。
【００２０】
制御部４は、周知のマイクロコンピュータからなるＣＰＵ、ＲＡＭ、ＲＯＭ及びＩ／Ｏバス等を有し、車載ハンズフリー装置２の通信動作や情報管理動作等の動作全般を制御する。ＢＴインタフェース部５は、携帯電話機３との間でＢＴ通信を行う機能を有し、携帯電話機３との間でＢＴ通信回線（本発明でいう近距離無線通信回線）を接続している状態でＢＴの通信規格により定義されているハンズフリー通話を実現するためのハンズフリー・プロファイル（ＨＦＰ）や電話帳データの転送を実現するためのフォン・ブック・アクセス・プロファイル（ＰＢＡＰ）等を接続可能に構成されている。この場合、ＢＴインタフェース部５は、これら複数のプロファイルを同時接続（所謂マルチ接続）可能であっても良い不可能であっても良い。尚、これらプロファイルは、機能毎に定義された通信プロトコルを意味している。
【００２１】
通話音声処理部６には車室内にあって例えばハンドルの近傍等のユーザが発した音声を集音し易い部位に配置されているマイクロホン１１が接続されていると共に、車載ハンズフリー装置２の外部に配置されているオーディオアンプ１２が接続されており、オーディオアンプ１２には２個のスピーカ１３、１４が接続されている。スピーカ１３は例えば運転席ドアに配置され、スピーカ１４は例えば助手席ドアに配置されている。又、オーディオアンプ１２にはチューナーデッキ１５も接続されており、オーディオアンプ１２はチューナーデッキ１５が例えば音楽用記録媒体から再生した楽曲音やラジオ放送局から受信したラジオ番組を当該チューナーデッキ１５から入力すると、それら入力した楽曲音やラジオ番組を増幅してスピーカ１３、１４から出力させる。
【００２２】
記憶部７は、各種データを記憶可能な記憶領域を有して構成されており、電話帳データを記憶可能な電話帳データ記憶領域を有して構成されている。電話帳データ記憶領域は、図２に示すように、複数の電話番号（図２では電話番号Ａ、電話番号Ｂ、…、電話番号Ｎで示す）の個々に対応する電話帳データ（図２では電話帳データＡ、電話帳データＢ、…、電話帳データＮで示す）を記憶可能な領域が確保されている。記憶可能な電話番号数はＢＴインタフェース部５がＢＴ通信回線を接続可能な携帯電話機３の台数に相当し、例えば数個である。各々の電話帳データは例えば登録名、電話番号１、電話番号２及び電子メールアドレス等を１件分とする所定件数分（例えば数１００件分）のデータ群であり、登録名（図２で示すＡ１１等）は例えば個人名であり、電話番号１（図２で示すＡ１２等）及び電話番号２（図２で示すＡ１３等）は所定桁数の番号であり、電子メールアドレス（図２で示すＡ１４等）は英字や数字等の文字列である。
【００２３】
尚、１件分のデータは、上記したように１つの登録名に対して２個の電話番号と１個の電子メールアドレスとを構成要素とする（登録可能な）データに限らず、１つの登録名に対して３個以上の電話番号や２個以上の電子メールアドレスを構成要素とするデータであっても良い。この場合、ユーザは電話帳データを利用することで電話番号を直接入力することなく登録名を選択することで通話相手先への発信動作を簡単且つ迅速に行うことが可能である。
【００２４】
又、記憶部７は、このような電話帳データを記憶可能な電話帳データ記憶領域を有していることに加えて、車載ハンズフリー装置２からの発信動作又は当該車載ハンズフリー装置２との間でＨＦＰを接続している携帯電話機３からの発信動作に係る発信時刻と発信電話番号との対応を表す発信履歴データを記憶可能な発信履歴データ記憶領域、車載ハンズフリー装置２との間でＨＦＰを接続している携帯電話機３の着信動作に係る着信時刻と着信電話番号との対応を表す着信履歴データを記憶可能な着信履歴データ記憶領域等を有して構成されている。
【００２５】
信号入力部１０は、キースイッチからアクセサリ（ＡＣＣ）信号を入力し、制御部４は、キースイッチから入力しているＡＣＣ信号がオン（ハイレベル）である場合には車載ハンズフリー装置２を電源オン状態として車載バッテリからの動作電力を全ての機能ブロックに供給させることで通常動作させ（ウェイクアップ状態で動作させ）、一方、キースイッチから入力しているＡＣＣ信号がオフ（ロウレベル）である場合には車載ハンズフリー装置２を電源オフ状態として車載バッテリからの動作電力を限定した機能ブロックに供給させることで低消費電力動作させる（スリープ状態で動作させる）。
【００２６】
ディスプレイ装置１６は、各種表示画面を表示する表示装置１７と、表示画面上にタッチスイッチを形成するタッチ操作入力装置１８とを備えて構成されている。表示制御部８は、制御部４から表示指令通知を入力すると、その入力した表示指令通知に基づいてディスプレイ装置１６における表示装置１７の表示動作を制御する。タッチ操作入力部９は、ユーザが表示画面上に形成されているタッチスイッチを操作したことに応じてタッチ操作入力装置１８から操作検出通知を入力すると、その入力した操作検出通知を制御部４に出力し、制御部４は、タッチ操作入力部９から入力した操作検出通知を解析する。
【００２７】
携帯電話機３は、自機の動作全般を制御する制御部、通信網１９との間で通話を行う通話部、ＢＴ通信を行うＢＴインタフェース部、ユーザが操作する各種キーが配列されてなるキー入力部、電話帳データを記憶可能な電話帳データ記憶領域や発信履歴データを記憶可能な発信履歴データ記憶領域や着信履歴データを記憶可能な着信履歴データ記憶領域等を有する記憶部、各種表示画面を表示する表示部、ユーザが発した音声を入力するマイクロホン、通話相手先から受信した音声を受話音声として出力するスピーカを備えて構成されている。
【００２８】
この場合、携帯電話機３のＢＴインタフェース部は、車載ハンズフリー装置２との間でＢＴ通信を行う機能を有し、車載ハンズフリー装置２のＢＴインタフェース部５との間でＨＦＰやＰＢＡＰを接続可能に構成されている。尚、上記した構成でいう通信網１９とは携帯電話基地局や基地局制御装置等の周知の携帯通話サービスを提供する設備を含むものである。尚、車載ハンズフリー装置２と携帯電話機３とが両者の間でＨＦＰやＰＢＡＰの他に電子メールの転送を実現するためのメッセージ・アクセス・プロファイル（ＭＡＰ）等を接続可能であっても良い。ここでいう電子メールとは周知のコンピュータネットワークを通じて交換される文字メッセージや画像情報等の総称である。
【００２９】
上記した構成では、ユーザは携帯電話機３のキー入力部を操作することで当該携帯電話機３を車載ハンズフリー装置２の接続相手先として登録可能である。以下、携帯電話機３が車載ハンズフリー装置２の接続相手先として登録される手順について図３を参照して説明する。
【００３０】
携帯電話機３は、ユーザがキー入力部を操作することで接続機器探索を指示すると、探索信号を送信し、自機との間でＢＴ通信回線を接続可能な接続機器を探索する。車載ハンズフリー装置２は、携帯電話機３との間でＢＴ通信可能なＢＴ通信圏内に存在することから、携帯電話機３から送信された探索信号を受信したことで探索応答を送信し、携帯電話機３は、車載ハンズフリー装置から送信された探索応答を受信すると、接続機器の探索に成功した旨をユーザに対して通知する。
【００３１】
次いで、携帯電話機３は、ユーザがキー入力部を操作することで探索に成功した接続機器のうち接続対象とする対象機器を選択すると、探索応答の送信元である車載ハンズフリー装置２との間でペアリング処理を開始する。この場合、携帯電話機３は、ペアリング処理において自機のＢＴデバイスアドレスを探索応答の送信元である車載ハンズフリー装置２に通知する。
【００３２】
次いで、携帯電話機３は、ユーザがキー入力部を操作することでＰＩＮコードを入力し、ペアリング処理を終了した後に、ユーザがキー入力部を操作することで接続要求を指示すると、ペアリング処理を終了した車載ハンズフリー装置２との間で接続処理を開始する。車載ハンズフリー装置２は、携帯電話機３との間で接続処理を終了すると、自局番号要求を携帯電話機３に送信し、携帯電話機３は、車載ハンズフリー装置２から送信された自局番号要求を受信すると、自機の電話番号（自局番号）を含む自局番号応答を送信する。そして、車載ハンズフリー装置２は、携帯電話機３から送信された自局番号応答を受信し、携帯電話機３を接続相手先として登録する手順を完了する。
【００３３】
次に、上記した構成の作用について、図４乃至図７を参照して説明する。尚、ここでは、ユーザが機種変更（現在の回線契約と電話番号とを他の機器にそのまま引き継いで移し変える手続き）したことで機種変更後の携帯電話機３を接続相手先として新たに登録したことを前提として説明する。車載ハンズフリー装置２は、図３で説明したように携帯電話機３を接続相手先として登録する手順を完了すると、その直後に、記憶部７の電話帳データ記憶領域に記憶されている電話帳データを管理する電話帳データ管理処理を行う。図４は車載ハンズフリー装置２が行う電話帳データ管理処理をフローチャートにより示している。
【００３４】
車載ハンズフリー装置２において、制御部４は、電話帳データ管理処理を開始すると、携帯電話機３を接続相手先として登録する手順において携帯電話機３から取得した電話番号、即ち新たに登録された携帯電話機３の電話番号を識別し（ステップＳ１）、新たに登録された携帯電話機３の電話番号、即ち機種変更する前から使用している電話番号に対応する電話帳データが記憶部７の電話帳データ記憶領域に記憶されているか否かを判定する（ステップＳ２）。
【００３５】
ここで、機種変更する前まで使用していた携帯電話機３の電話番号に対応する電話帳データが記憶部７の電話帳データ記憶領域に記憶されていなければ、機種変更前後で電話番号が変更されないことにより、新たに登録された携帯電話機３の電話番号に対応する電話帳データも記憶部７の電話帳データ記憶領域に記憶されていないことになる。制御部４は、新たに登録された携帯電話機３の電話番号に対応する電話帳データが記憶部７の電話帳データ記憶領域に記憶されていないと判定すると（ステップＳ２にて「ＮＯ」）、電話帳データ管理処理を終了する。
【００３６】
一方、機種変更する前まで使用していた携帯電話機３の電話番号に対応する電話帳データが記憶部７の電話帳データ記憶領域に記憶されていれば、機種変更前後で電話番号が変更されないことにより、新たに登録された携帯電話機３の電話番号に対応する電話帳データが記憶部７の電話帳データ記憶領域に記憶されていることになる。制御部４は、新たに登録された携帯電話機３の電話番号に対応する電話帳データが記憶部７の電話帳データ記憶領域に記憶されていると判定すると（ステップＳ２にて「ＹＥＳ」）、例えば「既存の電話帳データを利用しますか？」という既存の電話帳データを利用するか否かをユーザに問合せる表示ガイダンスを表示装置１７に表示させると共に、ユーザが既存の電話帳データを利用するか否かを選択するために操作可能な「ＹＥＳ」ボタン及び「ＮＯ」ボタンをタッチスイッチとして表示画面上に形成させ（ステップＳ３）、ユーザが何れかを選択するのを待機する（ステップＳ４）。この場合、ユーザは、既存の電話帳データを利用する旨を選択する場合であれば、「ＹＥＳ」ボタンを操作し、一方、既存の電話帳データを利用しない旨を選択する場合であれば、「ＮＯ」ボタンを操作することになる。
【００３７】
制御部４は、ユーザが「ＹＥＳ」ボタンを操作（本発明でいう第１の所定操作）したと判定し、既存の電話帳データを利用する旨を選択したと判定すると（ステップＳ４にて「ＹＥＳ」）、記憶部７の電話帳データ記憶領域に記憶されている既存の電話帳データ（機種変更前の携帯電話機３の電話番号に対応する電話帳データ）を変更することなく維持し、機種変更する前から記憶されている電話番号と電話帳データとの対応を変更することなく維持する（ステップＳ５）。即ち、制御部４は、図５に示すように、例えば既存の電話帳データとして電話番号Ａに対応する電話帳データＡを記憶させている状態から、ユーザが電話番号Ａの携帯電話機を機種変更した場合であれば、電話番号Ａと電話帳データＡとの対応を変更することなく維持する。
【００３８】
一方、制御部４は、ユーザが「ＮＯ」ボタンを操作したと判定し、既存の電話帳データを利用しない旨を選択したと判定すると（ステップＳ４にて「ＮＯ」）、例えば「既存の電話帳データを削除しますか？」という既存の電話帳データを削除するか否かをユーザに問合せる表示ガイダンスを表示装置１７に表示させると共に、ユーザが既存の電話帳データを削除するか否かを選択するために操作可能な「ＹＥＳ」ボタン及び「ＮＯ」ボタンをタッチスイッチとして表示画面上に形成させ（ステップＳ６）、ユーザが何れかを選択するのを待機する（ステップＳ７）。この場合、ユーザは、既存の電話帳データを削除する旨を選択する場合であれば、「ＹＥＳ」ボタンを操作し、一方、既存の電話帳データを削除しない旨を選択する場合であれば、「ＮＯ」ボタンを操作することになる。
【００３９】
制御部４は、ユーザが「ＹＥＳ」ボタンを操作（本発明でいう第２の所定操作）したと判定し、既存の電話帳データを削除する旨を選択したと判定すると（ステップＳ７にて「ＹＥＳ」）、記憶部７の電話帳データ記憶領域に記憶されている既存の電話帳データを削除する（ステップＳ８）。即ち、制御部４は、図６に示すように、例えば既存の電話帳データとして電話番号Ａに対応する電話帳データＡを記憶させている状態から、ユーザが電話番号Ａの携帯電話機を機種変更した場合であれば、電話番号Ａに対応する電話帳データＡを削除する。尚、図６で「Ｎｕｌｌ」はデータが存在しない（削除された）ことを示す。
【００４０】
一方、制御部４は、ユーザが「ＮＯ」ボタンを操作したと判定し、既存の電話帳データを削除しない旨を選択したと判定すると（ステップＳ７にて「ＮＯ」）、例えば「既存の電話帳データを新たな電話帳データで更新しますか？」という既存の電話帳データを新たな電話帳データで更新するか否かをユーザに問合せる表示ガイダンスを表示装置１７に表示させると共に、ユーザが既存の電話帳データを新たな電話帳データで更新するか否かを選択するために操作可能な「ＹＥＳ」ボタン及び「ＮＯ」ボタンをタッチスイッチとして表示画面上に形成させ（ステップＳ９）、ユーザが何れかを選択するのを待機する（ステップＳ１０）。この場合、ユーザは、既存の電話帳データを新たな電話帳データで更新する旨を選択する場合であれば、「ＹＥＳ」ボタンを操作し、一方、既存の電話帳データを新たな電話帳データで更新しない旨を選択する場合であれば、「ＮＯ」ボタンを操作することになる。
【００４１】
制御部４は、ユーザが「ＹＥＳ」ボタンを操作（本発明でいう第３の所定操作）したと判定し、既存の電話帳データを新たな電話帳データで更新する旨を選択したと判定すると（ステップＳ１０にて「ＹＥＳ」）、電話帳データの転送要求を新たに登録された携帯電話機３に送信し、新たに登録された携帯電話機３に記憶されている電話帳データを携帯電話機３から転送させることで、記憶部７の電話帳データ記憶領域に記憶されている電話帳データを新たに登録された携帯電話機３から転送された電話帳データで更新する（ステップＳ１１）。即ち、制御部４は、図７に示すように、例えば既存の電話帳データとして電話番号Ａに対応する電話帳データＡを記憶させている状態から、ユーザが電話番号Ａの携帯電話機を機種変更した場合であれば、電話番号Ａに対応する電話帳データＡを新たに登録された携帯電話機３から転送された電話帳データＡ´で更新する。電話帳データＡ´は、電話帳データＡとはデータ内容が異なるデータ群である。
【００４２】
以上に説明したように本実施形態によれば、車載ハンズフリー装置２において、電話番号と電話帳データとを対応付けて記憶部７の電話帳データ記憶領域にて管理し、ユーザが機種変更したことで機種変更後の携帯電話機３が新たに登録される際に、新たに登録される携帯電話機の電話番号、即ち機種変更する前から使用している電話番号に対応する電話帳データが記憶されており、ユーザが既存の電話帳データを利用する旨を選択した場合には、それら電話番号と電話帳データとの対応を変更することなく維持するように構成したので、ユーザが携帯電話機３を機種変更する場合であっても、機種変更前に使用可能であった電話帳データを機種変更後でも継続して使用可能とすることができる。
【００４３】
又、ユーザが既存の電話帳データを削除する旨を選択した場合であれば、既存の電話帳データを削除するように構成したので、ユーザが携帯電話機３を機種変更する場合に、機種変更する前から使用していた電話帳データを削除することができる。更に、ユーザが既存の電話帳データを新たな電話帳データで更新する旨を選択した場合であれば、既存の電話帳データを機種変更後の携帯電話機３から転送された電話帳データで更新するように構成したので、ユーザが携帯電話機３を機種変更する場合に、既存の電話帳データを新たな電話帳データで更新することができる。
【００４４】
本発明は、上記した実施形態にのみ限定されるものではなく、以下のように変形又は拡張することができる。
近距離無線通信機能付き電話帳データ記憶装置は、ハンズフリー機能を有する車載ハンズフリー装置に限らず、電話帳データを記憶する機能を有している装置であれば、例えば車載ナビゲーション装置等の別の車載装置であっても良いし、車両に搭載される車載装置に限らず、例えばユーザが携帯可能な携帯機器であっても良い。
【符号の説明】
【００４５】
図面中、２は車載ハンズフリー装置（近距離無線通信機能付き電話帳データ記憶装置）、３は携帯電話機、４は制御部（制御手段、電話番号取得手段、電話帳データ取得手段、第１の操作受付手段、第２の操作受付手段、第３の操作受付手段）、５はＢＴインタフェース部（通信回線接続手段）、７は記憶部（電話帳データ記憶手段）である。
【図１】
2010263556.tif 000003
【図２】
2010263556.tif 000004
【図３】
2010263556.tif 000005
【図４】
2010263556.tif 000006
【図５】
2010263556.tif 000007
【図６】
2010263556.tif 000008
【図７】
2010263556.tif 000009